(57)【要約】    【課題】      ＵＥ間にてもマルチキャストパケット通信を行うこと。    【解決手段】  ＭＢＭＳ用送受信部１０１は、送信元のＵＥと送信先のＵＥとにＩＰマルチキャストアドレス及びＴＭＧＩを割り当て、割り当てたＩＰマルチキャストアドレスを送信元のＵＥへ通知するとともに、割り当てたＴＭＧＩを送信先のＵＥへ通知し、割り当てたＩＰマルチキャストアドレス及びＴＭＧＩを情報保持部１０２へ出力する。情報保持部１０２は、ＩＰマルチキャストアドレスとＴＭＧＩとを関係付けて保存する。データ転送制御部１０３は、情報保持部１０２に記憶されているＴＭＧＩの中から、送信元のＵＥから送信されたＭＢＭＳデータに含まれているＩＰマルチキャストアドレスに対応するＴＭＧＩを選択し、選択したＴＭＧＩ及び受信したＭＢＭＳデータをＧＧＳＮへ送信する。  【選択図】      図１
2006295682.tif 000002
【特許請求の範囲】
【請求項１】
マルチキャストパケット通信の開始を送信元の通信端末装置から要求された場合には送信先の通信端末装置を特定するための識別子を前記送信元の通信端末装置と前記送信先の通信端末装置に通知する識別子通知手段と、
前記送信元の通信端末装置から送信されたパケットデータを前記パケットデータに含まれる前記識別子により特定される前記送信先の通信端末装置に転送するとともに、前記パケットデータの宛先であることを通知する前記識別子を前記送信先の通信端末装置へ送信するデータ転送制御手段と、
を具備することを特徴とする通信装置。
【請求項２】
前記送信先の通信端末装置のアドレスを示す第一識別子と前記第一識別子よりもビット長の短い第二識別子からなる前記識別子を、前記第一識別子と前記第二識別子とを関係付けた識別子情報として記憶する記憶手段を具備し、
前記識別子通知手段は、前記第一識別子を前記送信元の通信端末装置へ通知するとともに前記第二識別子を前記送信先の通信端末装置へ通知し、
前記データ転送制御手段は、前記パケットデータに含まれている前記第一識別子を用いて前記記憶手段に記憶されている前記識別子情報を参照することにより前記第二識別子を選択し、前記パケットデータの宛先であることを通知するために前記第二識別子を前記送信先の通信端末装置へ送信することを特徴とする請求項１記載の通信装置。
【請求項３】
マルチキャストパケット通信の開始の要求を送信するとともに、送信先である他局を特定する識別子を受信する送受信手段と、
前記送受信手段にて受信した前記識別子を記憶する記憶手段と、
前記記憶手段にて記憶されている前記識別子にて特定される前記他局宛に前記識別子を含む前記マルチキャストパケット通信のパケットデータを送信するマルチキャストパケット通信開始手段と、
を具備することを特徴とする通信端末装置。
【請求項４】
マルチキャストパケット通信の開始を要求するとともに送信先を特定する識別子を受信して、受信した前記識別子にて特定される前記送信先へ前記識別子を含むマルチキャストパケット通信のパケットデータを送信する送信元の第一通信端末装置と、
前記要求を受信した場合には前記識別子を前記第一通信端末装置と前記送信先へ通知するとともに、前記第一通信端末装置から送信された前記パケットデータを前記パケットデータに含まれる前記識別子により特定される前記送信先へ転送し、前記パケットデータの宛先であることを通知する前記識別子を前記送信先へ送信する上位局装置と、
前記上位局装置から通知された前記識別子を受信して記憶するとともに、前記上位局装置から前記パケットデータの宛先であることを示す前記識別子を受信し、受信した前記識別子と記憶している前記識別子とが一致する場合には前記パケットデータの受信を開始する前記送信先である第二通信端末装置と、
を具備することを特徴とする通信システム。
【請求項５】
送信元の通信端末装置がマルチキャストパケット通信の開始を要求するステップと、
前記要求を受信した上位局装置が送信先の通信端末装置を特定する第一識別子を前記送信元の通信端末装置へ通知するとともに前記第一識別子よりもビット長が短い第二識別子を送信先の通信端末装置へ通知するステップと、
前記上位局装置が、通知した前記第一識別子と通知した前記第二識別子とを関係付けて識別子情報として記憶するステップと、
前記送信先の通信端末装置が前記上位局装置より通知された前記第二識別子を記憶するステップと、
前記送信元の通信端末装置が前記上位局装置より通知された前記第一識別子にて特定される前記送信先の通信端末装置宛の前記第一識別子を含むパケットデータを送信するステップと、
前記パケットデータを受信した前記上位局装置が受信した前記パケットデータに含まれている前記第一識別子を用いて前記識別子情報を参照して前記第二識別子を選択するステップと、
選択した前記第二識別子を前記パケットデータの宛先であることを通知するために前記送信先の通信端末装置へ送信するステップと、
前記上位局装置が受信した前記パケットデータを転送するステップと、
前記送信先の通信端末装置が前記第二識別子を受信するステップと、
前記送信先の通信端末装置にて受信した前記第二識別子と記憶している前記第二識別子とが一致する場合には前記送信先の通信端末装置が前記上位局装置から転送された前記パケットデータの受信を開始するステップと、
を具備することを特徴とするマルチキャストパケット通信方法。
【請求項６】
マルチキャストパケット通信の開始を送信元の通信端末装置から要求された場合には送信先の通信端末装置を特定するための識別子を前記送信元の通信端末装置と前記送信先の通信端末装置に通知する手順と、
前記送信元の通信端末装置から送信されたパケットデータを前記パケットデータに含まれる前記識別子により特定される前記送信先の通信端末装置に転送するとともに、前記パケットデータの宛先であることを通知する前記識別子を前記送信先の通信端末装置へ送信する手順と、
を実行させることを特徴とするコンピュータプログラム。
【発明の詳細な説明】
【技術分野】
【０００１】
本発明は、通信装置、通信端末装置、通信システム及びマルチキャストパケット通信方法に関し、例えばマルチキャストパケット通信サービスを提供する通信装置、通信端末装置、通信システム及びマルチキャストパケット通信方法に関する。
【背景技術】
【０００２】
図６は、マルチキャストパケット通信サービス（Multimedia Broadcast/Multicast Service：以下「ＭＢＭＳ」と記載する）を提供するパケット通信システム１０の構成図である。ＭＢＭＳのパケット通信システム１０は、コンテンツプロバイダ（Contents Provider）１１、ＢＭ−ＳＣ（Broadcast/Multicast Service Center）１２、ＧＧＳＮ１３、ＳＧＳＮ１４、基地局制御局（以下「ＲＮＣ」と記載する）１５、基地局（以下「Ｎｏｄｅ  Ｂ」と記載する）１６及び通信端末装置（User Equipment：以下「ＵＥ」と記載する）１７から構成される。また、ＧＧＳＮ１３及びＳＧＳＮ１４はコアネットワーク（以下「ＣＮ」と記載する）１８を構成している。ＲＮＣ１５及びＮｏｄｅ  Ｂ１６は無線アクセスネットワーク（以下「ＲＡＮ」と記載する）１９を構成している。ＭＢＭＳでは、ＲＮＣ１５において、ＭＢＭＳデータの複製を行って、Ｎｏｄｅ  Ｂ１６に転送する。Ｎｏｄｅ  Ｂ１６は、無線インタフェースの共通チャネルを用いて、ＭＢＭＳデータをＵＥ１７に転送する。図６において、コンテンツプロバイダ１１は、コンテンツ提供者であり、ＭＢＭＳで提供するコンテンツを提供する。ＢＭ−ＳＣ１２は、ＭＢＭＳの提供を行う。ＧＧＳＮ１３は、ＢＭ−ＳＣ１２からの指示に従いＳＧＳＮ１４との間で、ＭＢＭＳデータを転送するためのbearer planeの設定を行う。ＳＧＳＮ１４は、ユーザ毎のＭＢＭＳ制御(例えば、MBMS Multicast Service Activation, MBMS Session Start, MBMS Registration, MBMS Session Stop)を行うと共に、ＭＢＭＳデータをＲＡＮ１９へ転送する。ＲＮＣ１５は、ＭＢＭＳデータを効率的に転送するために、ＭＢＭＳデータを複製してＮｏｄｅ  Ｂ１６に転送する。Ｎｏｄｅ  Ｂ１６は、受信したＭＢＭＳデータを無線インタフェースに送信する。公衆ネットワークは、ＲＮＣ１５とＮｏｄｅ  Ｂ１６との間のデータの転送に利用される。ＵＥ１７は、MBMS bearer service制御を行うと共に、ＭＢＭＳデータを受信する。
【０００３】
コンテンツプロバイダ１１からのＭＢＭＳデータは、ＢＭ−ＳＣ１２、ＣＮ１８を経由して、ＲＮＣ１５に転送される。ＲＮＣ１５は、ＭＢＭＳデータの複製を行って、Ｎｏｄｅ  Ｂ１６を経由して、ＵＥ１７にＭＢＭＳデータを転送する。Ｎｏｄｅ  Ｂ１６は、無線インタフェースの共通チャネルを用いて、ＭＢＭＳデータを転送することにより、該当Ｎｏｄｅ  Ｂ１６配下の複数のＵＥ１７に対して、一斉にＭＢＭＳデータを送信することができる。
【非特許文献１】3GPP TS 23.246 V.6.2.0 (2004-03) Multimedia Broadcast/Multicast Service (MBMS);Architecture and functional description(Release 6)
【発明の開示】
【発明が解決しようとする課題】
【０００４】
しかしながら、従来のシステムにおいては、ＭＢＭＳデータは、システム外のコンテンツプロバイダ１１から提供され、ＢＭ−ＳＣ１２を経由してＵＥ１７に配信する形態となっており、ＵＥ１７間でマルチキャストパケット通信を行うことができないという問題がある。
【０００５】
本発明はかかる点に鑑みてなされたものであり、ＵＥ間にてもマルチキャストパケット通信を行うことができる通信装置、通信端末装置、通信システム及びマルチキャストパケット通信方法を提供することを目的とする。
【課題を解決するための手段】
【０００６】
本発明の通信装置は、マルチキャストパケット通信の開始を送信元の通信端末装置から要求された場合には送信先の通信端末装置を特定するための識別子を前記送信元の通信端末装置と前記送信先の通信端末装置に通知する識別子通知手段と、前記送信元の通信端末装置から送信されたパケットデータを前記パケットデータに含まれる前記識別子により特定される前記送信先の通信端末装置に転送するとともに、前記パケットデータの宛先であることを通知する前記識別子を前記送信先の通信端末装置へ送信するデータ転送制御手段と、を具備する構成を採る。
【０００７】
本発明の通信端末装置は、マルチキャストパケット通信の開始の要求を送信するとともに、送信先である他局を特定する識別子を受信する送受信手段と、前記送受信手段にて受信した前記識別子を記憶する記憶手段と、前記記憶手段にて記憶されている前記識別子にて特定される前記他局宛に前記識別子を含む前記マルチキャストパケット通信のパケットデータを送信するマルチキャストパケット通信開始手段と、を具備する構成を採る。
【０００８】
本発明の通信システムは、マルチキャストパケット通信の開始を要求するとともに送信先を特定する識別子を受信して、受信した前記識別子にて特定される前記送信先へ前記識別子を含むマルチキャストパケット通信のパケットデータを送信する送信元の第一通信端末装置と、前記要求を受信した場合には前記識別子を前記第一通信端末装置と前記送信先へ通知するとともに、前記第一通信端末装置から送信された前記パケットデータを前記パケットデータに含まれる前記識別子により特定される前記送信先へ転送し、前記パケットデータの宛先であることを通知する前記識別子を前記送信先へ送信する上位局装置と、前記上位局装置から通知された前記識別子を受信して記憶するとともに、前記上位局装置から前記パケットデータの宛先であることを示す前記識別子を受信し、受信した前記識別子と記憶している前記識別子とが一致する場合には前記パケットデータの受信を開始する前記送信先である第二通信端末装置と、を具備する構成を採る。
【０００９】
本発明のマルチキャストパケット通信方法は、送信元の通信端末装置がマルチキャストパケット通信の開始を要求するステップと、前記要求を受信した上位局装置が送信先の通信端末装置を特定する第一識別子を前記送信元の通信端末装置へ通知するとともに前記第一識別子よりもビット長が短い第二識別子を送信先の通信端末装置へ通知するステップと、前記上位局装置が、通知した前記第一識別子と通知した前記第二識別子とを関係付けて識別子情報として記憶するステップと、前記送信先の通信端末装置が前記上位局装置より通知された前記第二識別子を記憶するステップと、前記送信元の通信端末装置が前記上位局装置より通知された前記第一識別子にて特定される前記送信先の通信端末装置宛の前記第一識別子を含むパケットデータを送信するステップと、前記パケットデータを受信した前記上位局装置が受信した前記パケットデータに含まれている前記第一識別子を用いて前記識別子情報を参照して前記第二識別子を選択するステップと、選択した前記第二識別子を前記パケットデータの宛先であることを通知するために前記送信先の通信端末装置へ送信するステップと、前記上位局装置が受信した前記パケットデータを転送するステップと、前記送信先の通信端末装置が前記第二識別子を受信するステップと、前記送信先の通信端末装置にて受信した前記第二識別子と記憶している前記第二識別子とが一致する場合には前記送信先の通信端末装置が前記上位局装置から転送された前記パケットデータの受信を開始するステップと、を具備するようにした。
【００１０】
本発明のコンピュータプログラムは、マルチキャストパケット通信の開始を送信元の通信端末装置から要求された場合には送信先の通信端末装置を特定するための識別子を前記送信元の通信端末装置と前記送信先の通信端末装置に通知する手順と、前記送信元の通信端末装置から送信されたパケットデータを前記パケットデータに含まれる前記識別子により特定される前記送信先の通信端末装置に転送するとともに、前記パケットデータの宛先であることを通知する前記識別子を前記送信先の通信端末装置へ送信する手順としてコンピュータを機能させる。
【発明の効果】
【００１１】
本発明によれば、ＵＥ間にてマルチキャストパケット通信を行うことができる。
【発明を実施するための最良の形態】
【００１２】
以下、本発明の実施の形態について、図面を参照して詳細に説明する。
【００１３】
（実施の形態）
図１は、本発明の実施の形態に係る通信装置であるＢＭ−ＳＣ１００の構成を示すブロック図である。
【００１４】
識別子通知手段であるＭＢＭＳ用送受信部１０１は、ＵＥとの間でＭＢＭＳに関する情報の送受信を行う。即ち、ＭＢＭＳ用送受信部１０１は、マルチキャストパケット通信のパケットデータを送信する送信元のＵＥから送信された、マルチキャストパケット通信の開始の要求と、送信元のＵＥのアドレス情報と、送信元のＵＥが送信したいサービス内容の情報とを含むＭＢＭＳに関する情報をＧＧＳＮより受信する。また、ＭＢＭＳ用送受信部１０１は、ＭＢＭＳデータを送信する送信元のＵＥとＭＢＭＳデータを受信する送信先のＵＥとに、送信先のＵＥの宛先を示すＩＰマルチキャストアドレス（第一識別子）及びＴＭＧＩ（Temporary Mobile Group Identity）（第二識別子）を割り当てる。そして、ＭＢＭＳ用送受信部１０１は、割り当てたＩＰマルチキャストアドレス及びＴＭＧＩを情報保持部１０２へ出力する。また、ＭＢＭＳ用送受信部１０１は、割り当てたＩＰマルチキャストアドレスを送信元のＵＥへ通知する。また、ＭＢＭＳ用送受信部１０１は、マルチキャストパケット通信が行われることを、送信先のＵＥに通知するために、割り当てたＴＭＧＩと、割り当てたＩＰマルチキャストアドレスと、送信元のＵＥのＭＢＭＳに関する情報とを送信先のＵＥへ送信する。また、ＭＢＭＳ用送受信部１０１は、送信先のＵＥから、送信先のＵＥが選択したサービス内容と関係付けられているＩＰマルチキャストアドレスを含むＭＢＭＳに関する情報を受信して情報保持部１０２へ出力する。ここで、ＴＭＧＩとは、ＩＰマルチキャストアドレスと同じ情報を有するとともに、ＩＰマルチキャストアドレスと置き換えることが可能なものであり、ビット長の長いＩＰマルチキャストアドレスを、無線リソースを効率的に利用できるようにするために短いビット長にしたものである。ＩＰマルチキャストアドレスは、ＩＰｖ６では２０ｏｃｔｅｔｓであり、ＴＭＧＩは、３ｏｃｔｅｔｓである。
【００１５】
記憶手段である情報保持部１０２は、ＭＢＭＳ用送受信部１０１から入力した送信先のＵＥのＭＢＭＳに関する情報、及び送信元のＵＥと送信先のＵＥとに割り当てたＩＰマルチキャストアドレスとＴＭＧＩとを関係付けて識別子情報として保存する。
【００１６】
データ転送制御部１０３は、ＭＢＭＳデータを送信する機能及びＧＧＳＮとの間でＭＢＭＳセッションの設定・開放を行う機能を有する。即ち、データ転送制御部１０３は、送信元のＵＥより送信された、送信先のＵＥが選択したサービスに対応するＭＢＭＢデータをＧＧＳＮを介して受信し、受信したＭＢＭＳデータを、送信先のＵＥへ転送するためにＧＧＳＮへ出力する。また、データ転送制御部１０３は、受信したＭＢＭＢデータに含まれているＩＰマルチキャストアドレスを用いて、情報保持部１０２に保存されている識別子情報を参照してＴＭＧＩを選択する。そして、データ転送制御部１０３は、転送するＭＢＭＳデータの宛先であることを示す、選択したＴＭＧＩをＧＧＳＮへ出力する。また、データ転送制御部１０３は、送信元のＵＥから送信されて受信したＭＢＭＳデータに対して復号及び暗号化を施す。
【００１７】
セキュリティ部１０４は、ＵＥに対して暗号化キーを提供する。具体的には、セキュリティ部１０４は、ＭＢＭＳデータの復号に使用する暗号化キーを送信先のＵＥへ送信するとともに、ＭＢＭＳデータの暗号化に使用する暗号化キーを送信元のＵＥへ送信するために、暗号化キーをＧＧＳＮへ送信する。また、セキュリティ部１０４は、データ転送制御部１０３が受信したＭＢＭＳデータの復号、及びデータ転送制御部１０３が送信するＭＢＭＳデータの暗号化に使用する暗号化キーをデータ転送制御部１０３へ出力する。
【００１８】
次に、ＵＥ２００の構成について、図２を用いて説明する。図２は、ＵＥ２００の構成を示すブロック図である。
【００１９】
ＭＢＭＳ用送受信部２０１は、ＢＭ−ＳＣ１００との間でＭＢＭＳに関する情報の送受信を行う。即ち、ＭＢＭＳ用送受信部２０１は、送信元のＵＥである場合には、送信元のＵＥのアドレス情報及び情報保存部２０２から入力した送信元のＵＥが提供したいサービスを一覧にした情報であるサービス内容の情報を含むＭＢＭＳに関する情報を、マルチキャストパケット通信の開始の要求とともに、Ｎｏｄｅ  Ｂを介してＢＭ−ＳＣ１００へ送信する。また、ＭＢＭＳ用送受信部２０１は、ＢＭ−ＳＣ１００から送信されたＩＰマルチキャストアドレスをＮｏｄｅ  Ｂを介して受信し、受信したＩＰマルチキャストアドレスを情報保存部２０２へ出力する。
【００２０】
また、ＭＢＭＳ用送受信部２０１は、送信先のＵＥである場合には、ＢＭ−ＳＣ１００から送信された送信元のＵＥのＭＢＭＳに関する情報、ＩＰマルチキャストアドレス及びＴＭＧＩを、Ｎｏｄｅ  Ｂを介して受信して情報保存部２０２へ出力する。そして、ＭＢＭＳ用送受信部２０１は、受信したＭＢＭＳに関する情報に含まれているサービス内容の情報の中から受信したいサービス内容を選択し、選択したサービス内容と関係付けられているＩＰマルチキャストアドレスをＮｏｄｅ  Ｂへ送信する。
【００２１】
記憶手段である情報保存部２０２は、送信先のＵＥである場合には、ＭＢＭＳ用送受信部２０１から入力したＭＢＭＳに関する情報、ＩＰマルチキャストアドレス及びＴＭＧＩを保存する。そして、情報保存部２０２は、保存しているＭＢＭＳに関する情報、ＩＰマルチキャストアドレス及びＴＭＧＩをＭＢＭＳデータ送受信部２０３へ出力する。
【００２２】
また、情報保存部２０２は、送信元のＵＥである場合には、ＭＢＭＳ用送受信部２０１から入力したＭＢＭＳに関する情報及びＩＰマルチキャストアドレスを保存する。そして、情報保存部２０２は、保存しているＭＢＭＳに関する情報及びＩＰマルチキャストアドレスをＭＢＭＳデータ送受信部２０３へ出力する。また、情報保存部２０２は、送信元のＵＥが提供したいサービス内容の情報を記憶しており、ＭＢＭＳ用送受信部２０１がマルチキャストパケット通信の開始の要求を送信する際に、記憶しているサービス内容の情報をＭＢＭＳ用送受信部２０１へ出力する。
【００２３】
マルチキャストパケット通信開始手段であるＭＢＭＳデータ送受信部２０３は、送信元のＵＥである場合には、情報保存部２０２に保存されているＩＰマルチキャストアドレスを含むＭＢＭＳデータを生成し、生成したＭＢＭＳデータを、ＭＢＭＳデータに含まれているＩＰマルチキャストアドレス宛に送信する。
【００２４】
また、ＭＢＭＳデータ送受信部２０３は、送信先のＵＥである場合には、情報保存部２０２に保存されているＴＭＧＩとＭＢＭＳデータの宛先であることを通知するために送信されたＴＭＧＩとを比較し、互いのＴＭＧＩが一致した場合には、送信元のＵＥから送信されてＢＭ−ＳＣ１００にて転送されたＭＢＭＳデータの、Ｎｏｄｅ  Ｂからの受信を開始する。そして、ＭＢＭＳデータ送受信部２０３は、セキュリティ部２０４から入力した暗号化キーにてＭＢＭＳデータを復号して所望のサービスの受信データを取得する。
【００２５】
セキュリティ部２０４は、ＢＭ−ＳＣ１００から送信されてＮｏｄｅ  Ｂを介して受信した暗号化キーをＭＢＭＳデータ送受信部２０３へ出力する。
【００２６】
次に、ＵＥ間にてマルチキャストパケット通信する方法について、図３及び図４を用いて説明する。図３は、マルチキャストパケット通信の通信システム３００を示す図であり、図４は、マルチキャストパケット通信する方法を示すシーケンス図である。図３及び図４において、ＵＥ３０２−１は送信元のＵＥ（第一通信端末装置）であり、ＵＥ３０２−２及びＵＥ３０２−３は送信先のＵＥ（第二通信端末装置）である。なお、図４の○印は、メッセージが該当ノードで受信されていることを示す。また、ＢＭ−ＳＣ３０１は図１と同一構成であり、ＵＥ３０２−１、ＵＥ３０２−２及びＵＥ３０２−３は各々図２と同一構成である。
【００２７】
最初に、ＵＥ３０２−１は、ＵＥ３０２−２及びＵＥ３０２−３に対してマルチキャストパケット通信を行う場合、ＵＥ３０２−１は、ＭＢＭＳ用送受信部２０１より、ＭＢＭＳに関する情報を設定したマルチキャストパケット通信の開始の要求であるMulticast Setup Requestを送信し、上位局装置であるＢＭ−ＳＣ３０１は、ＭＢＭＳ用送受信部１０１にて、Ｎｏｄｅ  Ｂ１６、ＲＮＣ１５、ＳＧＳＮ１４及びＧＧＳＮ１３を介して、Multicast Setup Requestを受信する（ステップＳＴ４０１）。
【００２８】
次に、ＢＭ−ＳＣ３０１は、ＭＢＭＳ用送受信部１０１にて、マルチキャストパケット通信に利用するＩＰマルチキャストアドレス及びＴＭＧＩを割り当て、割り当てたＩＰマルチキャストアドレスをMulticast Setup Responseに設定する。Multicast Setup Responseに設定されたＩＰマルチキャストアドレスは、ＵＥ３０２−２、ＵＥ３０２−３の宛先を示すものである。そして、ＢＭ−ＳＣ３０１は、ＭＢＭＳ用送受信部１０１にてMulticast Setup Responseを送信し、ＵＥ３０２−１は、ＭＢＭＳ用送受信部２０１にて、ＧＧＳＮ１３、ＳＧＳＮ１４、ＲＮＣ１５及びＮｏｄｅ  Ｂ１６を介して、Multicast Setup Responseを受信する（ステップＳＴ４０２）。
【００２９】
次に、ＢＭ−ＳＣ３０１は、情報保持部１０２にて、Multicast Setup Responseに設定したＩＰマルチキャストアドレス及びＴＭＧＩを記憶する。また、ＢＭ−ＳＣ３０１は、Multicast Setup Responseに設定したＩＰマルチキャストアドレス及びＴＭＧＩをデータ転送制御部１０３へ通知する。
【００３０】
次に、ＢＭ−ＳＣ３０１は、マルチキャストパケット通信が行われることをＵＥ３０２−１に通知するために、ＭＢＭＳ用送受信部１０１より、Service Announcementを送信し、ＵＥ３０２−１は、ＭＢＭＳ用送受信部２０１にて、ＧＧＳＮ１３、ＳＧＳＮ１４、ＲＮＣ１５及びＮｏｄｅ  Ｂ１６を介して、Service Announcementを受信する（ステップＳＴ４０３）。また、ＢＭ−ＳＣ３０１は、マルチキャストパケット通信が行われることをＵＥ３０２−２に通知するために、ＭＢＭＳ用送受信部１０１より、Service Announcementを送信し、ＵＥ３０２−２は、ＭＢＭＳ用送受信部２０１にて、ＧＧＳＮ１３、ＳＧＳＮ１４、ＲＮＣ１５及びＮｏｄｅ  Ｂ１６を介して、Service Announcementを受信する（ステップＳＴ４０４）。また、ＢＭ−ＳＣ３０１は、マルチキャストパケット通信が行われることをＵＥ３０２−３に通知するために、ＭＢＭＳ用送受信部１０１より、Service Announcementを送信し、ＵＥ３０２−３は、ＭＢＭＳ用送受信部２０１にて、ＧＧＳＮ１３、ＳＧＳＮ１４、ＲＮＣ１５及びＮｏｄｅ  Ｂ１６を介して、Service Announcementを受信する（ステップＳＴ４０５）。ＵＥ３０２−２、３０２−３に送信されるService Announcementには、ＢＭ−ＳＣ３０１が割り当てたマルチキャストパケット通信に必要なＴＭＧＩと、ＩＰマルチキャストアドレスと、ＩＰマルチキャストアドレスと関係付けられているサービス内容の情報と、ＵＥ３０２−１のアドレス情報とを含むＭＢＭＳに関する情報が設定されている。また、ＵＥ３０２−１に送信されるService Announcementには、ＢＭ−ＳＣ３０１が割り当てたＩＰマルチキャストアドレスが設定されている。
【００３１】
次に、Service Announcementを受信したＵＥ３０２−２及びＵＥ３０２−３は、情報保存部２０２にて、Service Announcementに含まれているＴＭＧＩと、ＩＰマルチキャストアドレスと、ＭＢＭＳに関する情報と、ＵＥ３０２−１のアドレス情報とを保存する。また、Service Announcementを受信したＵＥ３０２−２及びＵＥ３０２−３は、Service Announcementに含まれているＴＭＧＩと、ＩＰマルチキャストアドレスと、ＭＢＭＳに関する情報と、ＵＥ３０２−１のアドレス情報とをＭＢＭＳデータ送受信部２０３へ通知する。
【００３２】
次に、Service Announcementを受信したＵＥ３０２−２は、マルチキャストパケット通信を行う場合、ＭＢＭＳ用送受信部２０１よりJoiningを送信し、ＢＭ−ＳＣ３０１は、ＭＢＭＳ用送受信部１０１にて、Ｎｏｄｅ  Ｂ１６、ＲＮＣ１５、ＳＧＳＮ１４及びＧＧＳＮ１３を介して、Joiningを受信する（ステップＳＴ４０６）。また、Service Announcementを受信したＵＥ３０２−３は、マルチキャストパケット通信を行う場合、ＭＢＭＳ用送受信部２０１よりJoiningを送信し、ＢＭ−ＳＣ３０１は、ＭＢＭＳ用送受信部１０１にて、Ｎｏｄｅ  Ｂ１６、ＲＮＣ１５、ＳＧＳＮ１４及びＧＧＳＮ１３を介して、Joiningを受信する（ステップＳＴ４０７）。ＵＥ３０２−２から送信されたJoiningには、ＵＥ３０２−２が選択したサービス内容と関係付けられているＩＰマルチキャストアドレス及びＵＥ３０２−２のアドレス情報が設定されている。また、ＵＥ３０２−３から送信されたJoiningには、ＵＥ３０２−３が選択したサービス内容と関係付けられているＩＰマルチキャストアドレス及びＵＥ３０２−３のアドレス情報が設定されている。
【００３３】
次に、Joiningを受信したＢＭ−ＳＣ３０１は、情報保持部１０２にて、Joiningに含まれているＩＰマルチキャストアドレス、ＵＥ３０２−２のアドレス情報及びＵＥ３０２−３のアドレス情報を保存する。また、Joiningを受信したＢＭ−ＳＣ３０１は、Joiningに含まれているＩＰマルチキャストアドレス、ＵＥ３０２−２のアドレス情報及びＵＥ３０２−３のアドレス情報をデータ転送制御部１０３へ通知する。
【００３４】
次に、ＵＥ３０２−１は、ＭＢＭＳデータ送受信部２０３より、ＢＭ−ＳＣ３０１から送信されたＩＰマルチキャストアドレスを含むマルチキャストパケット通信のパケットデータであるＭＢＭＳデータを作成する。そして、ＭＢＭＳデータ送受信部２０３は、作成したＭＢＭＳデータを、ＭＢＭＳデータに含まれるＩＰマルチキャストアドレス宛に送信し、ＢＭ−ＳＣ３０１は、データ転送制御部１０３にて、Ｎｏｄｅ  Ｂ１６、ＲＮＣ１５、ＳＧＳＮ１４及びＧＧＳＮ１３を介して、ＭＢＭＳデータを受信する（ステップＳＴ４０８）。
【００３５】
次に、ＢＭ−ＳＣ３０１は、データ転送制御部１０３にて、マルチキャストパケット通信を開始するために、受信したＭＢＭＳデータに含まれているＩＰマルチキャストアドレスを用いて、情報保持部１０２に記憶されている識別子情報を参照してＴＭＧＩを選択する。そして、ＢＭ−ＳＣ３０１は、選択したＴＭＧＩを含むSession Startを送信し、ＲＮＣ１５は、ＧＧＳＮ１３及びＳＧＳＮ１４を介して、Session Startを受信する（ステップＳＴ４０９）。図５は、識別子情報を示す図である。ＩＰマルチキャストアドレスは、ＩＰｖ４の場合、ＩＰアドレスのクラスＤ、即ち最初の１バイトが２２４〜２３９の間のアドレスで定義されている。識別子情報は、このようなＩＰアドレスと３バイトのＴＭＧＩとが関係付けられている。
【００３６】
次に、Session Startを受信したＲＮＣ１５は、マルチキャストパケット通信の開始をＵＥ３０２−１、ＵＥ３０２−２及びＵＥ３０２−３に通知するために、ＵＥ３０２−１、ＵＥ３０２−２及びＵＥ３０２−３に対して、Session Startに含まれていたＴＭＧＩを含むNotificationを送信し、ＵＥ３０２−１、ＵＥ３０２−２及びＵＥ３０２−３は、ＭＢＭＳデータ送受信部２０３にて、Ｎｏｄｅ  Ｂ１６を介して、Notificationを受信する。そして、Notificationを受信したＵＥ３０２−２及びＵＥ３０２−３は、ＭＢＭＳデータ送受信部２０３にて、Notificationに含まれているＴＭＧＩが情報保存部２０２に記憶しているＴＭＧＩと一致するか否かを判定し、一致する場合には、ＭＢＭＳデータ送受信部２０３にて、ＭＢＭＳデータの受信を開始する（ステップＳＴ４１０）。
【００３７】
次に、ＢＭ−ＳＣ３０１は、情報保持部１０２に保存されているＩＰマルチキャストアドレス、ＴＭＧＩ、ＵＥ３０２−２のアドレス情報及びＵＥ３０２−３のアドレス情報に基づいて、ステップＳＴ４０８にて受信したＭＢＭＳデータを転送する。そして、ＭＢＭＳデータを受信したＵＥ３０２−２及びＵＥ３０２−３は、情報保存部２０２に保存されているＩＰマルチキャストアドレス、ＴＭＧＩ及びＵＥ３０２−１のアドレス情報に基づいて、ＭＢＭＳデータの処理を行う（ステップＳＴ４１１）。
【００３８】
次に、ＭＢＭＳデータの送信が完了した場合、ＢＭ−ＳＣ３０１は、データ転送制御部１０３にて、マルチキャストパケット通信を終了するために、Session StopをＲＮＣ１５へ送信する（ステップＳＴ４１２）。そして、再度、ＭＢＭＳデータを送信する場合は、ステップＳＴ４０８〜ステップＳＴ４１２を繰り返す。
【００３９】
本実施の形態において、ＢＭ−ＳＣ１００とＵＥ２００の動作手順及び送受信方法をコンピュータプログラムにより表現して、コンピュータプログラムをコンピュータに実行させても良く、また、ＢＭ−ＳＣ１００とＵＥ２００の動作手順または送信方法を表現したコンピュータプログラムをＣＤ−ＲＯＭまたはＤＶＤ等の記録媒体に記録させること、またはＢＭ−ＳＣ１００とＵＥ２００の動作手順または送信方法を表現したコンピュータプログラムを電気通信回線を用いてコンピュータへ伝送して、伝送先のコンピュータを用いて伝送されたコンピュータプログラムを実行させるようにしても良い。
【００４０】
このように、本実施の形態によれば、従来のＵＥとＢＭ−ＳＣ間の制御手順に加えて、ＵＥからＢＭ−ＳＣに対して、マルチキャストパケット通信を要求する手順を新たに設け、ＵＥからＢＭ−ＳＣにマルチキャストパケット通信を要求し、ＵＥからのパケットをＢＭ−ＳＣ及びＲＮＣ経由で他のＵＥにマルチキャストすることにより、ＵＥ間でマルチキャストパケット通信を行うことができる。また、本実施の形態によれば、ビット長の長いＩＰマルチキャストアドレスをビット長の短いＴＭＧＩに置き換えて無線送信するので、無線リソースを効率良く使用することができる。
【産業上の利用可能性】
【００４１】
本発明にかかる通信装置、通信端末装置、通信システム及びマルチキャストパケット通信方法は、マルチキャストパケット通信に適用するに好適である。
【図面の簡単な説明】
【００４２】
【図１】本発明の実施の形態に係る通信装置の構成を示すブロック図
【図２】本発明の実施の形態に係る通信端末装置の構成を示すブロック図
【図３】本発明の実施の形態に係る通信システムを示す図
【図４】本発明の実施の形態に係るマルチキャストパケット通信する方法を示すシーケンス図
【図５】本発明の実施の形態に係る識別子情報を示す図
【図６】従来のパケット通信システムを示す図
【符号の説明】
【００４３】
１００  ＢＭ−ＳＣ
１０１  ＭＢＭＳ用送受信部
１０２  情報保持部
１０３  データ転送制御部
１０４  セキュリティ部
【図１】
2006295682.tif 000003
【図２】
2006295682.tif 000004
【図３】
2006295682.tif 000005
【図４】
2006295682.tif 000006
【図５】
2006295682.tif 000007
【図６】
2006295682.tif 000008